(57)【要約】【課題】  保守点検にかかる工数が低減されて簡易に保守点検を行え、運用に従来のような手間がかからない転倒ます形雨量計を提供する。【解決手段】  各排水器１２，１２の両側面には、それぞれスライド溝１２ａ，１２ａが水平な向きＤに延びる直線状に形成されている。また、基台１３における各切欠き１３ａ，１３ａの対向する両内側面には、スライド溝１２ａ，１２ａに嵌まる凸条部１３ｂ，１３ｂが向きＤに延びる直線状に形成されている。各排水器１２，１２は、そのスライド溝１２ａ，１２ａが基台１３の凸条部１３ｂ，１３ｂに案内されて向きＤにスライドすると共に、基台１３に自在に着脱される。また、基台１３の中心側と反対側の側部に形成される側壁１２ｃは、各排水器１２，１２の基台１３への取り付け時に、基台１３の円筒状をした外周１３ｃに並び、各排水器１２，１２は胴体２に囲まれて基台１３に固定される。【選択図】  図８
2020197416.tif 000002
【特許請求の範囲】
【請求項１】
落下する雨水を受水する受水器と、前記受水器で受水された雨水の流勢を抑えて滴下するろ水器と、前記ろ水器から滴下する雨水を一対のますに交互に溜めて一定量溜まる毎に転倒して両側の放水端から交互に放水する転倒ますと、各前記放水端の下方に位置する基台に設けられ、前記転倒ますから放水された雨水を受けて雨量計外部へ排水する一対の排水器と、前記基台の外周を囲んで前記基台に取り付けられて雨量計の周囲を覆う胴体とを備える転倒ます形雨量計において、
各前記排水器は、互いに離反して前記基台から離れる向きにスライド自在にかつ着脱自在に前記基台に設けられ、前記基台への取り付け時に前記基台の中心側と反対側の側部が前記基台の外周に並び、
前記胴体は、前記基台への取り付け時に各前記排水器の前記側部を前記基台の外周と共に囲む
ことを特徴とする転倒ます形雨量計。
【請求項２】
各前記排水器の周囲の前記基台の表面に前記基台の外周に向かって低くなる傾斜面が設けられていることを特徴とする請求項１に記載の転倒ます形雨量計。
【請求項３】
各前記排水器は、前記基台の傾斜面に連続する傾斜面を底板の表面に有することを特徴とする請求項２に記載の転倒ます形雨量計。
【請求項４】
各前記排水器は、前記転倒ますから放水された雨水を雨量計外部へ排水すると共に雨量計内部への虫の侵入を阻止する孔または濾紙が底板に形成されていることを特徴とする請求項１から請求項３のいずれか１項に記載の転倒ます形雨量計。
【請求項５】
前記底板は各前記排水器に交換自在に設けられていることを特徴とする請求項４に記載の転倒ます形雨量計。
【請求項６】
前記ろ水器は、前記受水器から受ける雨水の落下方向に対して傾斜して設けられ、前記受水器から受ける雨水の流下方向を変えて雨水を受け流す樋状をした第１のろ水器と、前記第１のろ水器から受ける雨水の落下方向に対して傾斜して設けられ、前記第１のろ水器から流れ出る雨水の流下方向を前記転倒ますの方向へ変えて前記第１のろ水器から流れ出る雨水を前記転倒ますに滴下させる、前記第１のろ水器の流出端周囲を受水端が覆い流出端に開口が形成された底の抜けた容器状部を有する第２のろ水器とから構成されることを特徴とする請求項１から請求項５のいずれか１項に記載の転倒ます形雨量計。
【発明の詳細な説明】
【技術分野】
【０００１】
本発明は、転倒ますから放水された雨水を受けて雨量計外部へ排水する一対の排水器を備える転倒ます形雨量計に関するものである。
【背景技術】
【０００２】
従来この種の転倒ます形雨量計としては、例えば、特許文献１に開示されたものがある。
【０００３】
この転倒ます形雨量計の受水器で受水された雨水は、雨量計ろ水器に採集されることで、その運動エネルギーが弱まって転倒ますに安定して流される。また、これと共に、採集された雨水に含まれる砂等の塵が漏斗に沈殿されて、上澄みがパイプの吸水口からパイプ内を通って転倒ますへ導かれる。転倒ますは左右に２個のますを有し、導かれた雨水をいずれか一方のますで受水する。そして、受水した雨水が一定量に達する毎に、支持体に支持される支点軸を中心に転倒して、他方のますで受水する。転倒ますの両側下側の基台には、一対の排水器が設けられている。各ますに受水された雨水は、漏斗に沈殿されなかった砂等の塵と共に各排水器を通過して、雨量計の外部へ排水される。
【先行技術文献】
【特許文献】
【０００４】
【特許文献１】特開２０００−２４９７７４号公報
【発明の概要】
【発明が解決しようとする課題】
【０００５】
しかしながら、上記従来の転倒ます形雨量計では、一対の排水器の底部が基台にネジ等の締結具で固定されている。したがって、排水器に滞留してしまう砂等の滞留物を排水器から取り除く際に、排水器を基台から取り外すのに当たり、排水器の上方に転倒ますが位置しているため、雨量計の周囲を覆う胴体を基台から取り外した後、先に転倒ますを分解して支持体から取り外す必要がある。その後、排水器を基台に固定する締結具をドライバ等の工具を使って緩め、排水器を基台から分離させてから、排水器内に滞留した砂等の滞留物を排水器から取り除くことになる。このため、上記従来の転倒ます形雨量計は、その保守点検に工数を要し、簡易に保守点検を行えないため、運用に手間がかかった。
【課題を解決するための手段】
【０００６】
本発明はこのような課題を解決するためになされたもので、
落下する雨水を受水する受水器と、受水器で受水された雨水の流勢を抑えて滴下するろ水器と、ろ水器から滴下する雨水を一対のますに交互に溜めて一定量溜まる毎に転倒して両側の放水端から交互に放水する転倒ますと、各放水端の下方に位置する基台に設けられ、転倒ますから放水された雨水を受けて雨量計外部へ排水する一対の排水器と、基台の外周を囲んで基台に取り付けられて雨量計の周囲を覆う胴体とを備える転倒ます形雨量計において、
各排水器が、互いに離反して基台から離れる向きにスライド自在にかつ着脱自在に基台に設けられ、基台への取り付け時に基台の中心側と反対側の側部が基台の外周に並び、
胴体が、基台への取り付け時に各排水器の前記側部を基台の外周と共に囲むことを特徴とする。
【０００７】
本構成によれば、一対の排水器は、基台の中心側と反対側の側部が基台の外周と共に胴体に囲まれることで、互いに離反して基台から離れる向きへのスライドが阻止され、基台に固定される。また、一対の排水器は、基台の外周を囲む胴体が基台から取り外されると、互いに離反して基台から離れる向きにスライド自在になり、基台から容易に分離する状態になる。したがって、排水器に滞留した砂等の滞留物を排水器から取り除く際には、基台の外周を囲む胴体を基台から取り外すことで、一対の排水器が、互いに離反して基台から離れる向きにスライド自在になって、一対の排水器を基台から容易に取り外すことができる。このため、従来の転倒ます形雨量計のように、胴体を基台から取り外した後、先に転倒ますを分解して支持体から取り外し、その後、排水器を基台に固定する締結具を工具を使って緩める作業をすることなく、単に、互いに離反して基台から離れる向きに一対の排水器をスライドさせるだけで、一対の排水器を基台から容易に取り外して、排水器に滞留した砂等の滞留物を排水器から取り除くことができるようになる。この結果、転倒ます形雨量計の保守点検にかかる工数が低減されて、簡易に保守点検を行えるようになり、転倒ます形雨量計の運用に従来のような手間がかからなくなる。
【０００８】
また、本発明は、各排水器の周囲の基台の表面に基台の外周に向かって低くなる傾斜面が設けられていることを特徴とする。
【０００９】
転倒ますから放水されて排水器に受水される雨水は、排水器から跳ねて基台の表面に飛び散ることがある。本構成によれば、跳ねた雨水は、基台の表面に溜まることなく、基台の傾斜面に沿って基台の外周に導かれる。基台の外周に導かれる雨水は、基台の外周とそれを覆う胴体の内周面との間の隙間を通って、雨量計の外部へ排出される。また、基台の傾斜面下方に排水口が形成されている場合には、その排水口を通ることによっても、基台の外周に導かれる雨水は雨量計の外部へ排出される。このため、基台の表面に跳ねた雨水が基台の表面に溜り、粉塵などを吸着して基台の表面に粉塵などが固着・堆積する不具合が防止される。
【００１０】
また、本発明は、各排水器が、基台の傾斜面に連続する傾斜面を底板の表面に有することを特徴とする。
【００１１】
本構成によれば、排水器から基台の表面に跳ねた雨水は、基台の傾斜面に連続する各排水器の底板の傾斜面によって排水器の排水口へも導かれ、排水器からも雨量計の外部へ排出される。このため、排水器から基台の表面に跳ねた雨水の雨量計外部への排出効率が向上する。
【００１２】
また、本発明は、各排水器が、転倒ますから放水された雨水を雨量計外部へ排水すると共に雨量計内部への虫の侵入を阻止する孔または濾紙が底板に形成されていることを特徴とする。
【００１３】
本構成によれば、各排水器の底板に形成された孔または濾紙により、蜘蛛などの虫が雨量計内部に侵入することが防止される。各排水器の底板が各排水器の本体と一体に成型される場合には、金網などの別部品を用いることなく、安価に、蜘蛛などの虫が雨量計内部に侵入することが防止される。
【００１４】
また、本発明は、底板が各排水器に交換自在に設けられていることを特徴とする。
【００１５】
本構成によれば、雨量計を設置する場所の環境に応じて、適切な形状の孔または濾紙を備えた底板に交換することで、雨量計を設置する場所の環境に応じて効果的に雨量計内部へ虫等が侵入するのを防止することができる。
【００１６】
また、本発明は、ろ水器が、受水器から受ける雨水の落下方向に対して傾斜して設けられ、受水器から受ける雨水の流下方向を変えて雨水を受け流す樋状をした第１のろ水器と、第１のろ水器から受ける雨水の落下方向に対して傾斜して設けられ、第１のろ水器から流れ出る雨水の流下方向を転倒ますの方向へ変えて第１のろ水器から流れ出る雨水を転倒ますに滴下させる、第１のろ水器の流出端周囲を受水端が覆い流出端に開口が形成された底の抜けた容器状部を有する第２のろ水器とから構成されることを特徴とする。
【００１７】
本構成によれば、受水器からろ水器に受水される雨水は、最初に、樋状の形状をした第１のろ水器に受けられて、その流下方向が第１のろ水器の傾斜によって変えられることで、流勢が抑えられて第２のろ水器へ注がれる。第１のろ水器の流出端周囲は、第２のろ水器の底の抜けた容器状部の受水端に覆われているため、第１のろ水器の流出端から第２のろ水器に注がれる雨水は、ろ水器の外に飛び出すことなく、第２のろ水器内に取り込まれる。第２のろ水器内に取り込まれた雨水は、第２のろ水器につけられた傾斜により、流勢がさらに抑えられて、第２のろ水器の容器状部の底部に形成された開口から転倒ますへ導かれる。
【００１８】
したがって、局地的大雨や集中豪雨等で雨量の値が大きくなり、受水器からろ水器に受水される雨水が大量になっても、受水器からろ水器に受水される雨水は、第１のろ水器および第２のろ水器を通る間にその流勢が抑えられ、第２のろ水器の容器状部に囲まれて周りに飛び散ることなく、第２のろ水器の流出端に導かれる。このため、局地的大雨や集中豪雨等で雨量の値が大きくなっても、受水器からろ水器に受水される雨水は、確実に転倒ますに注がれ、転倒ますによって持続して正確に雨量が計量されるようになる。
【００１９】
また、受水器からろ水器に受水される雨水に砂等の塵が含まれていても、その塵は、従来のようにろ水器に沈殿されず、第１のろ水器および第２のろ水器を雨水と共に流れる。このため、従来のろ水器のように、漏斗に沈殿する塵を定期的に除去する保守作業は不要となる。しかも、互いに離反して基台から離れる向きに一対の排水器を単にスライドさせるだけで、一対の排水器を基台から容易に取り外して、排水器に滞留した砂等の滞留物を排水器から取り除くことができる。この結果、転倒ます形雨量計の運用をさらに容易に行えるようになる。
【発明の効果】
【００２０】
本発明によれば、保守点検にかかる工数が低減されて簡易に保守点検を行え、運用に従来のような手間がかからない転倒ます形雨量計を提供することが出来る。
【図面の簡単な説明】
【００２１】
【図１】本発明の一実施の形態による転倒ます形雨量計の縦断面図である。
【図２】図１に示す転倒ます形雨量計の縦断面の斜視図である。
【図３】図１に示す転倒ます形雨量計の計量部の斜視図である。
【図４】（ａ）は、図１に示す転倒ます形雨量計を構成するろ水器の斜視図、（ｂ）は正面図、（ｃ）は側面図である。
【図５】（ａ）は、図４に示すろ水器を構成する第１のろ水器の斜視図、（ｂ）は平面図である。
【図６】（ａ）は、図４に示すろ水器を構成する補助導水路の上方からの斜視図、（ｂ）は正面図、（ｃ）は下方からの斜視図である。
【図７】（ａ）は、図４に示すろ水器から補助導水路を取り外した際のろ水器の正面図、（ｂ）は側面図、（ｃ）は第２のろ水器のＡ−Ａ線破断矢視断面図である。
【図８】図３に示す計量部下方の基台から排水器を引き出した状態の斜視図である。
【図９】（ａ）は、図１に示す転倒ます形雨量計を構成する排水器の第１の変形例の平面図、（ｂ）は第２の変形例の平面図である。
【図１０】（ａ）は、図１に示す転倒ます形雨量計を構成する排水器の第３の変形例の平面図、（ｂ）は第４の変形例の平面図である。
【図１１】図１に示す転倒ます形雨量計を構成する排水器の第５の変形例の平面図である。
【発明を実施するための形態】
【００２２】
次に、本発明による転倒ます形雨量計を実施するための形態について説明する。
【００２３】
図１は、本発明の一実施の形態による転倒ます形雨量計１を、その中心線Ｃを通る平面で破断した縦断面図、図２は、その縦断面を斜め上方から見下ろした斜視図である。
【００２４】
転倒ます形雨量計１は、胴体２に覆われて構成され、落下する雨水を受水する受水器３と、受水器で受水された雨水を計量する計量部５とを備える。受水器３は円錐形状をした漏斗４から構成される。図３は、転倒ます形雨量計１から胴体２および受水器３を取り外して計量部５を見たときの斜視図である。
【００２５】
計量部５は、ろ水器６、転倒ます７、基板８、軸９、おもり１０、一対のストッパ１１および一対の排水器１２等が、樹脂等から形成される円盤状をした基台１３上に配置されて、構成される。胴体２は、その下端部の内周面が基台１３の外周を囲んで、基台１３にボルト１４によって取り付けられ、雨量計１の周囲を覆う。ろ水器６は基板８に取り付けられ、基板８は基台１３に立設されている。ろ水器６は、漏斗４で受水した雨水を受け、受けた雨水を転倒ます７へ滴下する。転倒ます７は、一対のます７ａ，７ｂが軸９を中心に対称に設けられて構成されている。一対のます７ａ，７ｂには、ろ水器６から滴下する雨水が所定量交互に溜められる。いずれか一方のます７ａ，７ｂに一定量の雨水が溜まる毎に、転倒ます７は軸９を中心に転倒して揺動する。
【００２６】
軸９は転倒ます７の側面を貫通して設けられている。転倒ます７の軸９にある揺動中心は、転倒ます７の底面より上方に設けられており、転倒ます７の揺動はおもり１０によって付勢される。おもり１０は、略コの字形状をしており、転倒ます７の揺動中心よりも上方の転倒ます７の側方にピン１５によって固定されている。また、各ます７ａ，７ｂの下方には一対のストッパ１１，１１が設けられている。転倒ます７の揺動は、この一対のストッパ１１，１１で各ます７ａ，７ｂの下面が受けられて、停止する。なお、おもり１０の形状は、略コの字形状に限らず、Ｔ字形状や四角形状等にしても構わない。
【００２７】
転倒ます７が揺動すると、各ます７ａ，７ｂに溜まった雨水は、転倒ます７の両側の放水端から一対の排水器１２，１２へ放水される。一対の排水器１２，１２は樹脂等から形成され、各放水端の下方に位置する基台１３に設けられて、転倒ます７から放水された雨水を受けて雨量計１の外部へ排水する。転倒ます７の揺動する回数は、リードスイッチ１６の発するパルス数によってカウントされ、雨量が計測される。本実施形態では、受水器３の口径が２００ｍｍであり、転倒ます形雨量計１は０．５ｍｍの雨量を計量する毎に１つのパルス信号を発する。
【００２８】
上記のように構成される計量部５におけるろ水器６は、図４（ａ）に斜視図、図４（ｂ）に正面図、図４（ｃ）に側面図が示される。ろ水器６は、第１のろ水器６ａ、第２のろ水器６ｂ、第１導水線６ｃ、第２導水線６ｄおよび補助導水路６ｅから構成され、受水器３で受水された雨水の流勢を抑えて転倒ます７へ滴下する。
【００２９】
第１のろ水器６ａは、図５（ａ）に斜視図、図５（ｂ）に平面図が示され、円筒管を中心軸方向に半分にカットした樋状をしており、樹脂等から形成される。本実施形態では、第１のろ水器６ａは、樋状部の幅Ｗが流出端６a1の側において幅ｗ（Ｗ＞ｗ）に狭められて樋状部の幅が絞られている。樋状部先端部の断面形状は、幅Ｗを有する樋状部基部の断面形状に比べて、断面積が小さくなっている。第１のろ水器６ａは、雨水の流下する樋状部の谷筋に沿い、流出端６a1から先端が突出する第１導水線６ｃを第１導水路として、樋状部内に有する。第１導水線６ｃは、直径φが２ｍｍ程度のステンレス鋼等の線材によってピン状に構成され、樋状部の谷底に雨水の流下する筋に沿って線状に形成された溝６a2に嵌められる。第１導水線６ｃは、この溝６a2に沿ってスライドすることで、雨水の流下する筋に沿う方向における位置調節が自在になっており、第１のろ水器６ａに接着等によって取り付けられる。
【００３０】
第１のろ水器６ａは、図４（ｃ）に示すように、第１導水線６ｃが、受水器３から受ける雨水の落下方向に対して略７０°、言い換えれば転倒ます形雨量計１の設置面に対して略２０°傾斜して設けられ、受水器３から受ける雨水の流下方向を第１導水線６ｃに沿って変えて、雨水を受け流す。
【００３１】
第２のろ水器６ｂは、図４に示すように、基板８から延出する樋状をしたホルダー部６b2と、ホルダー部６b2の先端に設けられた容器状部６b3と、容器状部６b3の外壁に形成されたアダプタ部６b4とから構成され、樹脂等から形成される。ホルダー部６b2はその樋状部に第１のろ水器６ａを収納し、第１のろ水器６ａの先端部の流出端６a1をホルダー部６b2から容器状部６b3へ突出させる。容器状部６b3は、底の抜けた容器状をしており、上方に楕円状に開口した受水端６b31が第１のろ水器６ａの流出端６a1の周囲を覆う。また、容器状部６b3は、その底部の流出端６b32に開口が形成されている。この開口は、受水端６b31の開口よりも小さな楕円状に形成されている。また、この開口の面積は、第１のろ水器６ａにおける幅Ｗの樋状部基部の断面積の２倍程度に設定されている。
【００３２】
容器状部６b3は、転倒ます７へ向かって傾斜する外壁にアダプタ部６b4が突出して一体に形成されている。このアダプタ部６b4には、図６に示される樹脂等で形成された補助導水路６ｅが図４に示すように嵌められる。ろ水器６は、補助導水路６ｅが取り外された状態の正面図が図７（ａ）、側面図が図７（ｂ）に示される。また、図７（ａ）に示す状態のろ水器６から第１のろ水器６ａを取り外した第２のろ水器６ｂのＡ−Ａ線破断矢視断面図が図７（ｃ）に示される。アダプタ部６b4は断面が略三日月状に容器状部６b3の外壁に突出しており、容器状部６b3の流出端６b32側に近づくに連れ、容器状部６b3の底部に向かって細まるすぼみを覆うように両側部が突出して湾曲している。アダプタ部６b4の背側には、アダプタ部６b4の長手方向に沿って溝６b41が形成されている。なお、アダプタ部６b4は第２のろ水器６ｂと別体に設け、別部品として構成してもよい。
【００３３】
図６（ａ）は補助導水路６ｅを斜め上方から見下ろした斜視図、図６（ｂ）は補助導水路６ｅの正面図、図６（ｃ）は補助導水路６ｅを斜め下方から見上げた斜視図である。補助導水路６ｅも、アダプタ部６b4と同様に断面が略三日月状をしており、容器状部６b3の受水端６b31側に取り付けられる基部６e1の厚みが厚く、流出端６b32側に取り付けられる先端部６e2の厚みが薄くなっている。また、基部６e1の湾曲内側中央には、凸条部６e3が補助導水路６ｅの長手方向に沿って延在している。補助導水路６ｅは、凸条部６e3がアダプタ部６b4の溝６b41に嵌められて圧入されることで、または接着されることで、アダプタ部６b4の背側に図４に示すように固定される。
【００３４】
容器状部６b3の転倒ます７へ向かって傾斜する内壁には、図７（ｃ）に示すように、第１導水線６ｃの先端から垂れる雨水の流下する筋に沿って溝６b33が形成されている。この溝６b33には、第２導水線６ｄの一方の端部が接着剤によって接着されて取り付けられる。第２導水線６ｄの他方の端部は、先端が容器状部６b3の流出端６b32から突出し、補助導水路６ｅがアダプタ部６b4に取り付けられたとき、図４（ｃ）に示すように、補助導水路６ｅの先端部６e2から浮く。つまり、補助導水路６ｅと第２導水線６ｄの先端側との間に距離が設けられ、空間が形成される。第２導水線６ｄの先端は、転倒ます７の上方まで突出する。すなわち、第２のろ水器６ｂは、第１導水線６ｃの先端から垂れる雨水の流下する筋に沿い、転倒ます７へ向かって傾斜する容器状部６b3の内壁に第２導水線６ｄを第２導水路として有する。第２導水線６ｄも、直径φが２ｍｍ程度のステンレス鋼等の線材によってピン状に構成される。第２導水線６ｄは、容器状部６b3の内壁に形成された溝６b33に沿ってスライドすることで、雨水の流下する筋に沿う方向における位置調節が自在になっている。
【００３５】
第２のろ水器６ｂは、第１のろ水器６ａから受ける雨水の落下方向、つまり、受水器３から受ける雨水の落下方向に対して、図４（ｃ）に示すように第２導水線６ｄが略３５°傾斜して設けられる。そして、第１のろ水器６ａから流れ出る雨水の流下方向を第２導水線６ｄに沿わせて転倒ます７の方向へ変えて、第１のろ水器６ａから流れ出る雨水を転倒ます７に滴下させる。また、第２のろ水器６ｂは、容器状部６b3の流出端６b32から突出する第２導水線６ｄの下方に第２導水線６ｄに並んで補助導水路６ｅが設けられ、補助導水路６ｅにより第２導水線６ｄから零れ落ちる雨水を転倒ます７に導く。
【００３６】
本実施形態では、第１導水線６ｃおよび第２導水線６ｄの表面には、親水性処理が施される。この親水性処理は、ポーラスＣｒメッキや、超親水性塗料の焼付け塗装が第１導水線６ｃおよび第２導水線６ｄの各表面に対して行われて、各表面に被膜が形成されることなどで、行われる。また、第１導水線６ｃおよび第２導水線６ｄの先端は、本実施形態では半球状をしている。しかし、各先端を斜めにカットするなどして尖らせるようにしてもよい。
【００３７】
また、本実施形態では、各排水器１２，１２は、図８に示すように、互いに離反して基台１３から離れる水平な向きＤにスライド自在に、かつ、着脱自在に、基台１３に設けられる。すなわち、各排水器１２，１２の両側面には、それぞれスライド溝１２ａ，１２ａが向きＤに延びる直線状に形成されている。また、基台１３における各排水器１２，１２が収納される各箇所には、切欠き１３ａ，１３ａが形成されている。各切欠き１３ａ，１３ａの対向する両内側面には、スライド溝１２ａ，１２ａに嵌まる凸条部１３ｂ，１３ｂが向きＤに延びる直線状に形成されている。したがって、各排水器１２，１２は、そのスライド溝１２ａ，１２ａが基台１３の凸条部１３ｂ，１３ｂに案内されて向きＤにスライドすると共に、基台１３に自在に着脱される。各排水器１２，１２が基台１３に装着されたときには、スライド溝１２ａ，１２ａと凸条部１３ｂ，１３ｂとの嵌合により、中心線Ｃに沿った方向つまり垂直方向における各排水器１２，１２の動きが固定される。また、各排水器１２，１２の周囲の基台１３の表面には、基台１３の中心点を頂点とし、基台１３の外周１３ｃに向かって低くなる傾斜面１３ｄが設けられている。
【００３８】
各排水器１２，１２は、基台１３の中心側を除く三方が側壁１２ｂ，１２ｃ，１２ｄに囲まれた、底板１２ｅを有する角筒状に樹脂等によって形成されている。基台１３の中心側と反対側の側部に形成される側壁１２ｃは、各排水器１２，１２の基台１３への取り付け時に、図３に示すように、基台１３の円筒状をした外周１３ｃに並ぶ。胴体２は、基台１３への取り付け時に、その下端部の内周が各排水器１２，１２の側壁１２ｃを基台１３の外周１３ｃと共に囲み、その下端部の外周からボルト１４によって基台１３に固定される。なお、胴体２が板厚の薄い金属板等から形成される場合、胴体２の下端部の内周にバンドが溶接されて、胴体２の機械的強度が補強される。この場合、バンドで補強された胴体２の下端部の内周が基台１３の外周１３ｃを囲むことになる。
【００３９】
また、各排水器１２，１２は、底板１２ｅの表面に、基台１３の傾斜面１３ｄに連続する傾斜面１２e1を有する（図１，図２参照）。そして、この傾斜面１２e1の下端に、雨量計１の中心線Ｃに垂直な水平面１２e2を有する。すなわち、各排水器１２，１２の底板１２ｅの表面には傾斜面１２e1と水平面１２e2とが形成されている。本実施形態では、この底板１２ｅに複数の小さな丸孔１２e3が貫通して形成されている。図９（ａ）はこれらの丸孔１２e3を示す排水器１２の平面図である。これらの丸孔１２e3は、転倒ます７から放水された雨水を雨量計１の外部へ排水すると共に、雨量計１の内部へ虫等の侵入を阻止する大きさに形成されている。
【００４０】
このような本実施形態の転倒ます形雨量計１によれば、一対の排水器１２，１２は、基台１３の中心側と反対側の側壁１２ｃが基台１３の外周１３ｃと共に胴体２に囲まれることで、互いに離反して基台１３から離れる水平な向きＤへのスライドが阻止され、基台１３に固定される。また、一対の排水器１２，１２は、基台１３の外周１３ｃを囲む胴体２が基台１３から取り外されると、互いに離反して基台１３から離れる向きＤにスライド自在になり、基台１３から容易に分離する状態になる。したがって、排水器１２に滞留した砂等の滞留物を排水器１２から取り除く際には、基台１３の外周１３ｃを囲む胴体２を基台１３から取り外すことで、一対の排水器１２，１２が、互いに離反して基台１３から離れる向きＤにスライド自在になって、一対の排水器１２，１２を基台１３から容易に取り外すことができる。このため、従来の転倒ます形雨量計のように、胴体を基台から取り外した後、先に転倒ますを分解して支持体から取り外し、その後、排水器を基台に固定する締結具を工具を使って緩める作業をすることなく、単に、互いに離反して基台１３から離れる向きＤに一対の排水器１２，１２をスライドさせるだけで、一対の排水器１２，１２を基台１３から容易に取り外して、排水器１２，１２に滞留した砂等の滞留物を排水器１２，１２から取り除くことができるようになる。この結果、転倒ます形雨量計１の保守点検にかかる工数が低減されて、簡易に保守点検を行えるようになり、転倒ます形雨量計１の運用に従来のような手間がかからなくなる。
【００４１】
また、転倒ます７から放水されて排水器１２，１２に受水される雨水は、排水器１２，１２から跳ねて基台１３の表面に飛び散ることがある。本実施形態の転倒ます形雨量計１によれば、跳ねた雨水は、基台１３の表面に溜まることなく、基台１３の傾斜面１３ｄに沿って基台１３の外周１３ｃに導かれる。基台１３の外周１３ｃに導かれる雨水は、基台１３の外周１３ｃとそれを覆う胴体２の下端部の内周面との間の隙間を通って、雨量計１の外部へ排出される。また、本実施形態では、基台１３の傾斜面１３ｄの下方に排水口１７が形成されているので、その排水口１７を通ることによっても、基台１３の外周１３ｃに導かれる雨水はその途中で排水口１７を介して雨量計１の外部へ排出される。このため、基台１３の表面に跳ねた雨水が基台１３の表面に溜り、粉塵などを吸着して基台１３の表面に粉塵などが固着・堆積する不具合が防止される。なお、排水口１７の開口部には図示しない金網が設けられている。
【００４２】
また、本実施形態の転倒ます形雨量計１によれば、排水器１２，１２から基台１３の表面に跳ねた雨水は、基台１３の傾斜面１３ｄに連続する各排水器１２，１２の底板１２ｅの傾斜面１２e1によって排水器１２，１２の排水口である丸孔１２e3へも導かれ、排水器１２，１２からも雨量計１の外部へ排出される。このため、排水器１２，１２から基台１３の表面に跳ねた雨水の雨量計１の外部への排出効率が向上する。
【００４３】
また、本実施形態の転倒ます形雨量計１によれば、各排水器１２，１２の底板１２ｅに形成された丸孔１２e3により、蜘蛛などの虫等が雨量計１の内部に侵入することが防止される。また、本実施形態では、各排水器１２，１２の底板１２ｅが各排水器１２，１２の本体と一体に成型されているので、金網などの別部品を用いることなく、安価に、蜘蛛などの虫が雨量計１の内部に侵入することが防止される。
【００４４】
また、本実施形態の転倒ます形雨量計１によれば、受水器３からろ水器６に受水される雨水は、最初に、樋状の形状をした第１のろ水器６ａに受けられて、その流下方向が第１のろ水器６ａの傾斜によって変えられることで、流勢が抑えられて第２のろ水器６ｂへ注がれる。第１のろ水器６ａの流出端６a1の周囲は、第２のろ水器６ｂの容器状部６b3の受水端６b31に覆われているため、第１のろ水器６ａの流出端６a1から第２のろ水器６ｂに注がれる雨水は、ろ水器６の外に飛び出すことなく、第２のろ水器６ｂ内に取り込まれる。第２のろ水器６ｂ内に取り込まれた雨水は、第２のろ水器６ｂにつけられた傾斜により、流勢がさらに抑えられて、第２のろ水器６ｂの容器状部６b3の底部に形成された流出端６b32の開口から転倒ます７へ導かれる。
【００４５】
したがって、局地的大雨や集中豪雨等で雨量の値が大きくなり、受水器３からろ水器６に受水される雨水が大量になっても、受水器３からろ水器６に受水される雨水は、第１のろ水器６ａおよび第２のろ水器６ｂを通る間にその流勢が抑えられ、第２のろ水器６ｂの容器状部６b3に囲まれて周りに飛び散ることなく、第２のろ水器６ｂの流出端６b32に導かれる。このため、局地的大雨や集中豪雨等で雨量の値が大きくなっても、受水器３からろ水器６に受水される雨水は、確実に転倒ます７に注がれ、転倒ます７によって持続して正確に雨量が計量されるようになる。
【００４６】
また、受水器３からろ水器６に受水される雨水に砂等の塵が含まれていても、その塵は、従来のようにろ水器６に沈殿されず、第１のろ水器６ａおよび第２のろ水器６ｂを雨水と共に流れる。このため、従来のろ水器のように、漏斗に沈殿する塵を定期的に除去する保守作業は不要となる。しかも、互いに離反して基台１３から離れる向きに一対の排水器１２，１２を単にスライドさせるだけで、一対の排水器１２，１２を基台１３から容易に取り外して、排水器１２，１２に滞留した砂等の滞留物を排水器１２，１２から取り除くことができる。この結果、転倒ます形雨量計１の運用をさらに容易に行えるようになる。
なお、上記実施形態では、排水器１２の底板１２ｅに図９（ａ）に示す小さな丸孔１２e3を複数個形成した場合について説明したが、図９（ｂ）に示す排水器１２の平面図のように、大きめの大径孔１２e4を１個だけ底板１２ｅに貫通して形成するようにしてもよい。雨量計１の設置される環境が小さな虫よりも大きな虫が出る環境である場合には、または虫等の生物がいない環境である場合には、このような大径孔１２e4であっても有効となる。
【００４７】
また、図１０（ａ）に示す排水器１２の平面図のように、角孔１２e5を複数個底板１２ｅに貫通して形成するようにしたり、図１０（ｂ）に示す排水器１２の平面図のように、スリット孔１２e6を複数列底板１２ｅに貫通して形成するようにしてもよい。また、図示していないが、スリット孔１２e6が直交した格子状のスリット孔１２e6を底板１２ｅに貫通して形成するようにしてもよい。このような大径孔１２e4、角孔１２e5およびスリット孔１２e6を底板１２ｅに形成した場合においても、上記実施形態と同様な作用効果が奏され、別部品を用いることなく、安価に、虫が雨量計１の内部に侵入することが防止される。
【００４８】
また、図１１に示す排水器１２の平面図のように、底板１２ｅに矩形状に形成された開口を濾紙１８で塞ぐように構成してもよい。この場合にも、排水器１２は、転倒ます７から放水された雨水を濾紙１８を介して雨量計１の外部へ排水すると共に、虫等が雨量計１の内部に侵入することを防止する。しかし、排水器１２とは別体の別部品である濾紙１８を用いるため、製造コストは別部品を用いない上記の各場合に比較して抑制されない。
【００４９】
また、上記実施形態および図９（ｂ）、図１０、図１１に示す各変形例では、各底板１２ｅが排水器１２の本体と一体に形成される場合について説明したが、各底板１２ｅが各排水器１２，１２に交換自在に設けられるように構成してもよい。雨量計１を設置する場所の環境によっては、生息する虫等の生物の有無や、種類が変わってくる。しかし、本構成によれば、雨量計１を設置する場所の環境に応じて、適切な形状の孔１２e3〜１２e6または濾紙１８を備えた底板１２ｅに交換することで、雨量計１を設置する場所の環境に応じて効果的に雨量計１の内部へ虫等が侵入するのを防止することができる。
【符号の説明】
【００５０】
１…転倒ます形雨量計、２…胴体、３…受水器、４…漏斗、５…計量部、６…ろ水器、６ａ…第１のろ水器、６a1…流出端、６a2…溝、６ｂ…第２のろ水器、６b2…ホルダー部、６b3…容器状部、６b31…受水端、６b32…流出端、６b33…溝、６b4…アダプタ部、６b41…溝、６ｃ…第１導水線（第１導水路）、６ｄ…第２導水線（第２導水路）、６ｅ…補助導水路、６e1…基部、６e2…先端部、６e3…凸条部、７…転倒ます、７ａ，７ｂ…ます、８…基板、９…軸、１０…おもり、１１…ストッパ、１２…排水器、１２ａ…スライド溝、１２ｂ，１２ｃ，１２ｄ…側壁、１２ｅ…底板、１２e1…傾斜面、１２e2…水平面、１２e3…丸孔、１２e4…大径孔、１２e5…角孔、１２e6…スリット孔、１３…基台、１３ａ…切り欠き、１３ｂ…凸条部、１３ｃ…外周、１３ｄ…傾斜面、１４…ボルト、１５…ピン、１６…リードスイッチ、１７…排水口、１８…濾紙
【図１】
2020197416.tif 000003
【図２】
2020197416.tif 000004
【図３】
2020197416.tif 000005
【図４】
2020197416.tif 000006
【図５】
2020197416.tif 000007
【図６】
2020197416.tif 000008
【図７】
2020197416.tif 000009
【図８】
2020197416.tif 000010
【図９】
2020197416.tif 000011
【図１０】
2020197416.tif 000012
【図１１】
2020197416.tif 000013